(57)【要約】      （修正有）【課題】泡立ちが良く、使用後の濯ぎや水切りも容易に行えるボディ洗いネットを提供する。【解決手段】泡立て部材１は伸縮性のあるナイロン製の細長い筒状の網体を端側から長手方向に所定の長さで山折りと谷折りに交互に折り返して重ね合わせ、その中央部分を、一纏めに結束して塊状と成したものである。外袋２は、ナイロン製タオル地で成る扁平四角形の袋体で、袋口２ａの近傍に袋口２ａを開閉するためのナイロン製の閉じ紐３が取り付けてある。閉じ紐３は輪状になっており、この閉じ紐３を袋口２ａの周縁部に回して縛る構造である。この外袋２に泡立て部材１を収納し、閉じ紐３にて袋口２ａを塞げば、ボディ洗いネットが得られる。【選択図】図１
0003109377.tif 000002
【実用新案登録請求の範囲】
【請求項１】
石鹸を塗布して泡立て、洗顔やボディ洗いの際に使用するネットであって、
網目地で成る塊状の泡立て部材と、当該泡立て部材を出し入れ自在に収納する網目地の外袋で構成したことを特徴とするボディ洗いネット。
【請求項２】
前記泡立て部材は、網目地で成る細長筒状体を長さ方向に幾重にも折り返すと共に、その中央部分を一纏めに結束して構成したことを特徴とする請求項１に記載のボディ洗いネット。
【請求項３】
前記泡立て部材および前記外袋を合成樹脂で形成したことを特徴とする請求項１または請求項２の何れかに記載のボディ洗いネット。
【請求項４】
前記外袋の袋口を閉じるための閉じ紐を設けたことを特徴とする請求項１から請求項３までの何れかに記載のボディ洗いネット。
【請求項５】
前記外袋の一部が布面であることを特徴とする請求項１から請求項４までの何れかに記載のボディ洗いネット。
【請求項６】
前記布面がパイル地であることを特徴とする請求項５に記載ボディ洗いネット。
【考案の詳細な説明】
【技術分野】
【０００１】
本考案は、石鹸を塗布して泡立てて入浴時等に使用するボディ洗いネットに関し、特にボディソープや固形石鹸等を簡単に泡立てることができるボディ洗いネットに関するものである。
【背景技術】
【０００２】
従来より、洗顔や入浴時のボディ洗いは、タオルやスポンジ等に石鹸を塗布して泡立てたもので身体を擦るようにして行う。石鹸による汚れ落とし効果は、タオルやスポンジ等で闇雲に体を擦ることより、寧ろ石鹸の泡立ちを良くしてソフトに擦ることが石鹸の洗浄効果を高めるのに有効であると言われている。泡立ちは、よりきめ細かい程肌に優しく洗浄効果にも優れることが知られている。
【考案の開示】
【考案が解決しようとする課題】
【０００３】
ところが、タオルやスポンジ等は泡立ちが悪く、一旦、泡立てても洗い中に泡が流れて少なくなるため、繰り返し石鹸を擦って泡立て直すといった面倒さがある。また、使用後のタオルやスポンジ等は泡の濯ぎがし難く、濯ぎ後の水切れも悪いので、不衛生になり易かった。
【０００４】
本考案は、上記した問題点に鑑み成されたもので、ボディソープや固形石鹸等を簡単に、且つ、豊富に泡立てることができ、しかも、使用後の濯ぎや水切りも容易に行えるボディ洗いネットを提供することを目的としている。
【課題を解決するための手段】
【０００５】
すなわち、請求項１に記載の考案は、石鹸を塗布して泡立て、洗顔やボディ洗いの際に使用するネットであって、網目地で成る塊状の泡立て部材と、当該泡立て部材を出し入れ自在に収納する網目地の外袋で構成したことを特徴としている。
【０００６】
また、請求項２に記載の考案は、請求項１に記載のボディ洗いネットにおいて、前記泡立て部材は、網目地で成る細長筒状体を長さ方向に幾重にも折り返すと共に、その中央部分を一纏めに結束して構成したことを特徴としている。
【０００７】
また、請求項３に記載の考案は、請求項１または請求項２の何れかに記載のボディ洗いネットにおいて、前記泡立て部材および前記外袋を合成樹脂で形成したことを特徴としている。
【０００８】
また、請求項４に記載の考案は、請求項１から請求項３までの何れかに記載のボディ洗いネットにおいて、前記外袋の袋口を閉じるための閉じ紐を設けたことを特徴としている。
【０００９】
また、請求項５に記載の考案は、求項１から請求項４までの何れかに記載のボディ洗いネットにおいて、前記外袋の一部が布面であることを特徴としている。
【００１０】
また、請求項６に記載の考案は、請求項５に記載ボディ洗いネットにおいて、前記布面がパイル地であることを特徴としている。
【考案の効果】
【００１１】
本考案によれば、泡立て部材は、幾重にも重なり合った網目素材で塊状に構成したので、泡立ての際にこれら網目素材が相互に効率良く擦り合わさると共に、網目から多量の空気が導入されるため、泡立ては極めて簡単で豊富である。また、得られた泡は塊状の泡立て部材に内包・保持されるため、一度に多量の泡を作ることができる。加えて、幾重にも重なった網目素材がスポンジ代わりになって、肌への感触はソフトで心地良い。
また、本考案によれば、外袋と泡立て部材を合成樹脂で形成したので、使用後の濯ぎは容易で、且つ、濯いだ後の水切れも良いので、ボディ洗いネットを常に衛生的に使用することができる。
また、本考案によれば、外袋の袋口を閉じ紐にて開閉自在としたので、袋内より泡立て部材を取り出して、洗顔用の泡立てネットとして使用することでき便利であると共に、使用後は閉じ紐を利用して壁面に吊り下げておけば、泡切れや水切れは極めて良好であり、ボディ洗いネットを常に衛生的に使用することができる。
また、本考案によれば、外袋の一部を布面（特に、パイル地が好ましい）としたので、より一層心地よい肌触りでボディ洗いができる。
【考案を実施するための最良の形態】
【００１２】
以下、図１〜図３に基づいて、本考案に係るボディ洗いネットの実施形態を説明する。図１は、本実施形態のボディ洗いネットの構成を示し、図２、図３は各々別のボディ洗いネットの外観を示している。
【００１３】
図１に示すように、本実施形態によるボディ洗いネットは、網目地で成る泡立て部材１と、この泡立て部材１を収納する比較的布目の細かい網目地の外袋２で構成されている。
【００１４】
泡立て部材１は伸縮性のあるナイロン製の細長い筒状（或いは、袋状）の網体を端側から長手方向に所定の長さで山折りと谷折りに交互に折り返して重ね合わせ、その中央部分を、例えば、凧糸（図示せず）で一纏めに結束して塊状と成したものである。
【００１５】
一方、外袋２は、ナイロン製タオル地で成る扁平四角形の袋体で、袋口２ａの近傍に袋口２ａを開閉するためのナイロン製の閉じ紐３が取り付けてある。閉じ紐３は輪状になっており、この閉じ紐３を袋口２ａの周縁部に回して縛るだけの簡便な構造である。
【００１６】
この外袋２に上記構成の泡立て部材１を収納し、閉じ紐３にて袋口２ａを塞げば、図２に示すボディ洗いネットが得られる。
【００１７】
このボディ洗いネットを使用する時は、外袋２の中に固形石鹸を入れて袋口２ａを閉じ、水やお湯で全体を濡らした後、両手で擦るようにして泡立てる。或いは、水やお湯で全体を濡らした後、外袋２の外側より固形石鹸やボディソープを塗布して、上記の場合と同様に両手で擦るようにして泡立てても良い。
【００１８】
泡立て部材１は、幾重にも重なり合った網目素材を塊状にして構成されているため、泡立ての際にこれら網目素材が相互に効率良く擦り合わさると共に、外袋２を通して網目から多量の空気が導入されるため、泡立ては極めて簡単、且つ、豊富である。また、得られた泡は塊状の泡立て部材１に内包・保持されるため、一度に多量の泡を作って溜めておくことができる。
尚、泡立て後は、外袋２内の固形石鹸は取り出して使用するが、小さくなった石鹸であれば、取り出さずにおいてそのまま泡立てながら使用しても良い。
【００１９】
上記方法で泡立てたボディ洗いネットを直接身体に当てて擦りながら洗う。泡立て部材１に内包された泡が比較的細かい外袋２の布目から出てきて、この泡と外袋２のタオル地を併用して体を洗う。ネット形状は塊状であるから持ち易く、且つ、泡が豊富で細かくソフトなので肌に優しく汚れを良く落とせる。加えて、幾重にも重なった伸縮自在の網目素材がスポンジ代わりとなって、肌へソフトで心地良い感触を与える。
また、袋口２ａの閉じ紐３を解いて中の泡立て部材１を取り出すことにより、この泡立て部材１を洗顔用の泡立てネットとして使用することもできる。
【００２０】
使用後は、袋口２ａを締めた閉じ紐３の環状端部をフック等を利用して壁面に吊り下げておけば、簡単に内部の水気を切ることができる。加えて、外袋２と泡立て部材１は合成樹脂であるので、使用後の濯ぎや水切れは良好であり、ボディ洗いネットを常に衛生的に使用することができる。
【００２１】
また、図３に示すように、外袋２の底側半分程を布面４に変えても良い。布面４はパイル地が好ましく、これにより、タオル地の肌触りと、パイル地による一層の心地よい肌触りで２通りに使い分けてボディ洗いができる。
【図面の簡単な説明】
【００２２】
【図１】本考案に係るボディ洗いネットの構成を示す斜視図。
【図２】本考案に係るボディ洗いネットの外観斜視図。
【図３】本考案に係る図２とは別のボディ洗いネットの外観斜視図。
【符号の説明】
【００２３】
１  泡立て部材
２  外袋
２ａ  袋口
３  閉じ紐
４  布面（パイル地）
【図１】
0003109377.tif 000003
【図２】
0003109377.tif 000004
【図３】
0003109377.tif 000005